【事件の表示】
　特願２００３−４１５０００「楽曲検索装置、楽曲検索方法及び楽曲検索プログラム」拒絶査定不服審判事件〔平成１７年　６月３０日出願公開、特開２００５−１７４４９６〕について、次のとおり審決する。
【結　論】
　本件審判の請求は、成り立たない。
【理　由】
１．手続の経緯
　
　本願は、平成１５年１２月１２日の出願であって、平成１９年７月６日付けの拒絶理由通知に応答して、同年９月１１日付けで手続補正がなされ、同年１０月１日に最後の拒絶理由が通知され、同年１１月１２日に手続補正書が提出されたが、同年１１月３０日付けで補正却下の決定、拒絶査定がなされ、これに対して、平成２０年１月７日に拒絶査定不服審判が請求されるとともに、同年２月５日付けで手続補正がなされたものである。
　そして、平成２２年５月２４日付けの審尋に対して、同年７月２０日付けで回答書が提出されたものである。
　
２．平成２０年２月５日付けの手続補正に対する補正却下の決定
　
［補正却下の結論］
　平成２０年２月５日付け手続補正を却下する。
　
［理由］
（１）補正の内容
　平成２０年２月５日付け手続補正（以下、「本件補正」という。）は、少なくとも以下の補正を含むものである。
　補正前の特許請求の範囲（平成１９年９月１１日付け手続補正での補正）の
　
（１−１）「【請求項１】
　楽曲に対する歌詞のテキスト情報でなる歌詞文字列の中の単語のうち所定の当該単語が上記楽曲の検索に用いる検索キーワードとして選定されると共に、当該選定された上記検索キーワードを識別可能なキーワード識別子が上記歌詞文字列の中に挿入されて生成された楽曲歌詞情報の当該歌詞文字列の中から上記キーワード識別子に従って上記検索キーワードを識別する識別手段と、
　上記歌詞文字列の中から、上記識別手段により識別された上記検索キーワードを抽出する抽出手段と、
　ユーザの発音した、楽曲を検索するための検索単語の音声を集音する集音手段と、
　上記集音手段で集音した上記検索単語の音声をテキスト情報でなる検索単語に変換する変換手段と、
　上記テキスト情報でなる検索単語を、上記抽出手段により上記歌詞文字列の中から抽出された上記検索キーワードと比較する比較手段と、
　上記比較手段による上記比較結果に応じて、上記テキスト情報でなる検索単語と一致する上記検索キーワードが挿入された上記歌詞文字列に対応する楽曲を通知する通知手段と　を具えることを特徴とする楽曲検索装置。
　　【請求項２】
　複数の楽曲の楽曲データを記録するデータ記録媒体と、
　上記通知手段により通知された上記楽曲に対して試聴要求するための試聴要求入力手段と、
　上記データ記録媒体から上記試聴要求入力手段を介して上記試聴要求された上記楽曲の上記楽曲データに対して、上記テキスト情報でなる検索単語と一致する上記検索キーワードが上記歌詞の一部として実際に歌われる歌唱部分を再生する再生手段と
　を具えることを特徴とする請求項１に記載の楽曲検索装置。
　　【請求項３】
　上記楽曲歌詞情報を記録する歌詞情報記録媒体
　を具え、
　上記識別手段は、
　上記歌詞情報記録媒体に記録された上記楽曲歌詞情報の上記歌詞文字列の中から上記キーワード識別子に従って上記検索キーワードを識別し、
　上記抽出手段は、
　上記歌詞情報記録媒体に記録された上記楽曲歌詞情報の上記歌詞文字列の中から、上記識別手段により識別された上記検索キーワードを抽出する
　ことを特徴とする請求項１に記載の楽曲検索装置。
　　【請求項４】
　楽曲の楽曲データを記録する記録手段と、
　ネットワークを介して外部サーバとデータの送受信を行うネットワーク処理部と
　を具え、
　上記記録手段は、
　上記ネットワーク処理部により上記外部サーバからダウンロードされた上記楽曲データを記録する
　ことを特徴とする請求項１に記載の楽曲検索装置。
　　【請求項５】
　楽曲に対する歌詞のテキスト情報でなる歌詞文字列の中の単語のうち所定の当該単語が上記楽曲の検索に用いる検索キーワードとして選定されると共に、当該選定された上記検索キーワードを識別可能なキーワード識別子が上記歌詞文字列の中に挿入されて生成された楽曲歌詞情報の当該歌詞文字列の中から上記キーワード識別子に従って上記検索キーワードを識別する識別ステップと、
　上記歌詞文字列の中から、上記識別した上記検索キーワードを抽出する抽出ステップと、
　ユーザの発音した、楽曲を検索するための検索単語の音声を集音して、当該集音した上記検索単語の音声をテキスト情報でなる検索単語に変換する変換ステップと、
　上記テキスト情報でなる検索単語を、上記歌詞文字列の中から抽出された上記検索キーワードと比較する比較ステップと、
　上記比較ステップにおける上記比較結果に応じて、上記テキスト情報でなる検索単語と一致する上記検索キーワードが挿入された上記歌詞文字列に対応する楽曲を通知する通知ステップと
　を具えることを特徴とする楽曲検索方法。
　　【請求項６】
　上記通知ステップにて通知した上記楽曲が試聴要求されると、当該試聴要求された上記楽曲を再生する再生ステップ
　を具えることを特徴とする請求項５に記載の楽曲検索方法。
　　【請求項７】
　上記識別ステップは、
　歌詞情報記録媒体に記録された上記楽曲歌詞情報の上記歌詞文字列の中から上記キーワード識別子に従って上記検索キーワードを識別し、
　上記抽出ステップは、
　上記歌詞情報記録媒体に記録された上記楽曲歌詞情報の上記歌詞文字列の中から、上記識別した上記検索キーワードを抽出する
　ことを特徴とする請求項５に記載の楽曲検索方法。
　　【請求項８】
　外部サーバからネットワークを介して楽曲をダウンロードして記録する記録ステップ　を具えることを特徴とする請求項５に記載の楽曲検索方法。
　　【請求項９】
　情報処理装置に対して、
　楽曲に対する歌詞のテキスト情報でなる歌詞文字列の中の単語のうち所定の当該単語が上記楽曲の検索に用いる検索キーワードとして選定されると共に、当該選定された上記検索キーワードを識別可能なキーワード識別子が上記歌詞文字列の中に挿入されて生成された楽曲歌詞情報の当該歌詞文字列の中から上記キーワード識別子に従って上記検索キーワードを識別する識別ステップと、
　上記歌詞文字列の中から、上記識別した上記検索キーワードを抽出する抽出ステップと　ユーザの発音した、楽曲を検索するための検索単語の音声を集音して、当該集音した上記検索単語の音声をテキスト情報でなる検索単語に変換する変換ステップと、
　上記テキスト情報でなる検索単語を、上記歌詞文字列の中から抽出された上記検索キーワードと比較する比較ステップと、
　上記比較ステップにおける上記比較結果に応じて、上記テキスト情報でなる検索単語と一致する上記検索キーワードが挿入された上記歌詞文字列に対応する楽曲を通知する通知ステップと
　を実行させるための楽曲検索プログラム。」とあったものを
　
（１−２）「【請求項１】
　楽曲に対する歌詞のテキスト情報でなる歌詞文字列の中の単語のうち所定の当該単語が上記楽曲の検索に用いる検索キーワードとして選定されると共に、当該選定された上記検索キーワードを識別可能なキーワード識別子が上記歌詞文字列の中に挿入されて生成された楽曲歌詞情報の当該歌詞文字列の中
で
　上記歌詞文字列の中から、上記識別手段により識別された上記検索キーワードを抽出する抽出手段と、
　ユーザの発音した、楽曲を検索するための検索単語の音声を集音する集音手段と、
　上記集音手段で集音した上記検索単語の音声をテキスト情報でなる検索単語に変換する変換手段と、
　上記テキスト情報でなる検索単語を、上記抽出手段により上記歌詞文字列の中から抽出された上記検索キーワードと比較する比較手段と、
　上記比較手段による上記比較結果に応じて、上記テキスト情報でなる検索単語と一致する上記検索キーワード
を含む
　
複数の楽曲の楽曲データを記録するデータ記録媒体と、
上記通知手段により通知された上記楽曲の試聴を要求するための試聴要求入力手段と、　上記試聴要求入力手段を介して試聴の要求された上記楽曲の楽曲データに対する再生停止を指示するための再生停止指示手段と、　上記データ記録媒体から、上記試聴要求入力手段を介して試聴の要求された上記楽曲の楽曲データを、上記テキスト情報でなる検索単語と一致する上記検索キーワードを含むフレーズの先頭位置から当該検索キーワードが上記歌詞の一部として実際に歌われる歌唱部分として再生し始め、当該歌唱部分を、上記再生停止指示手段を介して任意に再生停止が指示されるまで再生する再生手段と
　　【請求項２】
　上記楽曲歌詞情報を記録する歌詞情報記録媒体
　を具え、
　上記識別手段は、
　上記歌詞情報記録媒体に記録された上記楽曲歌詞情報の上記歌詞文字列の中
で
　上記抽出手段は、
　上記歌詞情報記録媒体に記録された上記楽曲歌詞情報の上記歌詞文字列の中から、上記識別手段により識別された上記検索キーワードを抽出する
　ことを特徴とする請求項１に記載の楽曲検索装置。
　　【請求項３】
　楽曲の楽曲データを記録する記録手段と、
　ネットワークを介して外部サーバとデータの送受信を行うネットワーク処理部と
　を具え、
　上記記録手段は、
　上記ネットワーク処理部により上記外部サーバからダウンロードされた上記楽曲データを記録する
　ことを特徴とする請求項１に記載の楽曲検索装置。
　　【請求項４】
　
ユーザの発音した、楽曲を検索するための検索単語の音声を集音して、当該集音した上記検索単語の音声をテキスト情報でなる検索単語に変換する変換ステップと、
、
　上記テキスト情報でなる検索単語を、上記歌詞文字列の中から抽出した上記検索キーワードと比較する比較ステップと、
　上記比較ステップにおける上記比較結果に応じて、上記テキスト情報でなる検索単語と一致する上記検索キーワードを
含む
、
上記通知ステップにて通知した上記楽曲の試聴が要求されると、当該試聴の要求された上記楽曲の楽曲データを、上記テキスト情報でなる検索単語と一致する上記検索キーワードを含むフレーズの先頭位置から当該検索キーワードが上記歌詞の一部として実際に歌われる歌唱部分として再生し始め、当該歌唱部分を任意に再生停止が指示されるまで再生する再生ステップ
　を具えることを特徴とする楽曲検索方法。
　　【請求項５】
　上記識別ステップは、
　歌詞情報記録媒体に記録された上記楽曲歌詞情報の上記歌詞文字列の中
で
　上記抽出ステップは、
　上記歌詞情報記録媒体に記録された上記楽曲歌詞情報の上記歌詞文字列の中から、上記識別した上記検索キーワードを抽出する
　ことを特徴とする請求項４に記載の楽曲検索方法。
　　【請求項６】
　外部サーバからネットワークを介して楽曲をダウンロードして記録する記録ステップ　を具えることを特徴とする請求項４に記載の楽曲検索方法。
　　【請求項７】
　情報処理装置に対して、
　
ユーザの発音した、楽曲を検索するための検索単語の音声を集音して、当該集音した上記検索単語の音声をテキスト情報でなる検索単語に変換する変換ステップと、
で
、
　
上
し
　上記比較ステップにおける上記比較結果に応じて、上記テキスト情報でなる検索単語と一致する上記検索キーワード
を含む
、
上記通知ステップにて通知した上記楽曲の試聴が要求されると、当該試聴の要求された上記楽曲の楽曲データを、上記テキスト情報でなる検索単語と一致する上記検索キーワードを含むフレーズの先頭位置から当該検索キーワードが上記歌詞の一部として実際に歌われる歌唱部分として再生し始め、当該歌唱部分を任意に再生停止が指示されるまで再生する再生ステップと
　
　すると、本件補正は、
　補正前の特許請求の範囲（平成１９年９月１１日付け手続補正での補正）の請求項２，６を削除し、削除した請求項２の内容を請求項１に、削除した請求項６の内容を請求項５に追加するとともに、追加した「再生手段」「再生ステップ」について「上記テキスト情報でなる検索単語と一致する上記検索キーワードを含むフレーズの先頭位置から当該検索キーワードが上記歌詞の一部として実際に歌われる歌唱部分として再生し始め、当該歌唱部分を任意に再生停止が指示されるまで再生する」ことを限定するものであって、平成１８年法律第５５号改正附則第３条第１項によりなお従前の例によるものとされる同法による改正前の特許法第１７条の２第４項第２号に掲げる特許請求の範囲の減縮を目的とするものであるが、本件補正後の請求項７の「楽曲検索プログラム」に関する補正は、「上記通知ステップにて通知した上記楽曲の試聴が要求されると、当該試聴の要求された上記楽曲の楽曲データを、上記テキスト情報でなる検索単語と一致する上記検索キーワードを含むフレーズの先頭位置から当該検索キーワードが上記歌詞の一部として実際に歌われる歌唱部分として再生し始め、当該歌唱部分を任意に再生停止が指示されるまで再生する再生ステップ」という新たな構成を追加するものであることから、平成１８年法律第５５号改正附則第３条第１項によりなお従前の例によるものとされる同法による改正前の特許法第１７条の２第４項第２号に掲げる特許請求の範囲の減縮を目的とするものに当たらないし、請求項の削除、不明瞭な記載の釈明、誤記の訂正にも当たらないことから、平成１８年法律第５５号改正附則第３条第１項によりなお従前の例によるものとされる同法による改正前の特許法第１７条の２第４項各号に掲げる事項を目的とするものではない。
　従って、本件補正は却下されるべきものである。
　
　
（２）独立特許要件の検討
　仮に、請求項７における補正が限定的減縮であると仮定して、本件補正後における特許請求の範囲に記載されている事項により特定される発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かを、請求項１に係る発明（以下、「本件補正発明」という。）について検討する。
　
（イ）引用例
　原査定の拒絶理由で引用された特開２００１−１２５５８３号公報（以下、「引用例１」という。）には、図面とともに以下の事項が記載されている。
　
（ａ）「【００２５】図１は本実施の形態における
電子音楽データ検索試聴装置
２０２は複数の電子音楽データ２０１を記憶する第一のデータ記憶器
２０５は複数の曲目の歌詞データ、２０６は複数の歌詞データを記憶する第二のデータ記憶器、２０７は複数の歌詞データ２０５の歌詞文字列を検索するキーワード検索器
２１０はキーワード検索器で検索された曲目のリストを表示する曲目表示器
２１３はタイミング抽出器２１２で抽出されたタイミングの前後一定時間について対応する電子音楽データ２０１の部分的な演奏データを作成する部分演奏データ化器、２１４は部分演奏データ化器２１３で作成された演奏データを音響出力するオーディオ再生器
（ｂ）「【００３０】
キーワード検索器２０７は、第二のデータ記憶器２０６に記憶されている複数の歌詞データ２０５を検索する。
キーワード検索器２０７は歌詞中に”浮気な恋”を含む曲目について、検索曲目リスト情報を曲目表示器２１０に出力し、検索ファイル情報をタイミング抽出器２１２に出力する。曲目表示器２１０は検索曲目リスト情報に含まれる検索番号、曲名、歌手名、唄い出しを図５のように表示する。
【００３１】
ユーザ(図示せず）は曲目表示器２１０に表示された”浮気な恋”を歌詞に含む曲目のリストから、所望の曲目と思われる曲目の番号を曲目指定器２１１から入力する。
【００３２】第三のデータ記憶器２０４に記憶されている複数の歌唱タイミングデータ２０３からタイミング抽出器では曲目指定器２１１から入力された検索番号１に対応するタイミングデータ２０３を読み出す。
タイミングデータ２０３は図９のように歌詞の行番号に対応して該当行の歌唱開始時間Ｔｓと歌唱終了時間Ｔｅが記載されている。タイミングデータ２０３と歌詞中でキーワードが検出された行番号からこの歌詞を含む行が歌唱開始される時間Ｔｓ８とこの歌詞を含む行の歌唱が終了する時間Ｔｅ８が抽出される。
【００３３】
タイミング抽出器２１２で抽出された歌唱開始時間Ｔｓ８と歌唱終了時間Ｔｅ８と曲ファイル番号は部分演奏データ化器２１３に入力
【００３４】
部分演奏データ化器２１３は、データ記憶器２０１に記憶されている複数の電子音楽データ２０２から曲目の番号に対応する電子音楽データ２０２を読み出し、演奏時間Ｔｓ８からＴｅ８に相当する電子音楽データの部分的な演奏データを作成して、オーディオ再生器２１４に出力
（ｃ）「【００３６】つまり、
所望の曲目を歌詞をキーワードとして検索し、検索に用いたキーワードと一致する電子音楽データについて、キーワードの前後一定の時間長試聴することが可能になり、歌手名や作詞・作曲者など関連する情報がわからなくても、所望の曲目を選択して試聴することが可能になる。
　
　以上の記載事項から、引用例１には
「複数の歌詞データの歌詞文字列を検索し、曲目を選択するキーワード検索器と、検索曲目リスト情報を表示する曲目表示器と、曲目表示器に表示されたキーワードを歌詞に含む曲目のリストから、所望の曲目と思われる曲目の番号を指定する曲目指定器と、複数の電子音楽データを記憶したデータ記憶器と、所望の曲目について、キーワードの前後の電子音楽データをデータ記憶器から読み出し、一定時間試聴を可能とするオーディオ再生器を具える電子音楽データ検索試聴装置」の発明（以下、「引用発明」という。）が記載されているものと認める。
　
　同じく、原査定の拒絶理由で引用された特開平１０−９１６３９号公報（以下、「引用例２」という。）には、図面とともに以下の事項が記載されている。
「【００５１】また、
インデックスとは、入力された文書に含まれるキーワードを見出しにして、そのキーワードを含むエントリ（文書名など）が整理されて一覧可能な形式にしたものをいう。
【００５２】図５（Ａ）を参照して、
図５（Ａ）で示されるキーワードデータは、キーワード抽出部１０２により文書入力部１０１へ入力された入力文書データから抽出されたものである。
【００５３】図５（Ｂ）を参照して、
インデックス作成部１０３では、インデックスの表示形式に合わせて、図５（Ａ）に示すキーワードデータに対して、〈Ｈ２〉、〈ＵＬ〉、〈／ＵＬ〉、〈ＬＩ〉などの所定の「タグ」が埋込まれる。
　
　同じく、原査定の拒絶理由で引用された特開２０００−２６８５４５号公報（以下、「引用例３」という。）には、図面とともに以下の事項が記載されている。
（ａ）「【００２２】一方、本実施の形態の音
声再生装置には、音声サーチを行うために、ユーザにより声によって発した曲名や歌詞部分、あるいはメロディー等のサーチ音声情報を取り込むための音声マイク７が設けられている。
【００２３】
音声マイク７は、例えばユーザにより発する曲名やその曲の歌詞の一部分、あるいはある曲の旋律などを示す音質の高さの異なるメロディー等の音声を収集し、サーチ音声情報として入力装置８に与える。
【００２４】
入力装置８は、音声マイク７からのサーチ音声情報を取り込み、該サーチ音声情報の識別を行い、識別結果に応じてサーチ音声情報の音声信号を出力する。
【００２５】例えば、
入力装置８は、言葉認識部８ａと、メロディー認識部８ｂとを含んで構成されている。言葉認識部８ａは、供給されたサーチ音声情報による音声信号が言葉（例えば曲名や歌詞）によるものであるか否かを判別し、言葉によるものである場合には、この音声信号を音声認識部９に与え、
（ｂ）「【００２８】音声認識部９は、供給された音声信号の文字認識を行い、認識結果から文字情報を生成し、生成して文字情報をデータ変換部１０の第１のデータ変換回路１０ａに与える。」
（ｃ）「【００３０】
第１のデータ変換回路１０ａは、音声認識部９からの文字情報に変換処理を施すことにより、歌詞データに基づくテキストデータと比較を行うのに必要なテキストデータを得、得られたテキストデータをデータ比較部６の第１のデータ比較回路６ａに与える。
（下線は当審による。）
　
（ロ）対比、判断
　そこで、本件補正発明と引用発明を対比する。
　
　引用発明の「複数の歌詞データの歌詞文字列を検索し、曲目を選択するキーワード検索器」は、キーワードと歌詞文字列の歌詞データを比較して、検索していることから、本件補正発明の「上記テキスト情報でなる検索単語を、上記歌詞文字列の上記検索キーワードと比較する比較手段」に相当する。
引用発明の「検索曲目リスト情報を表示する曲目表示器」は、本件補正発明の「上記比較手段による上記比較結果に応じて、上記テキスト情報でなる検索単語と一致する上記検索キーワードを含む上記歌詞文字列に対応する楽曲を通知する通知手段」に相当する。
　引用発明の「曲目表示器に表示されたキーワードを歌詞に含む曲目のリストから、所望の曲目と思われる曲目の番号を指定する曲目指定器」は、一定時間試聴を可能とする所望の曲を指定していることから、本件補正発明の「上記通知手段により通知された上記楽曲の試聴を要求するための試聴要求入力手段」に相当する。
　引用発明の「電子音楽データ」は、本件補正発明の「楽曲データ」に相当する。
　引用発明の「複数の電子音楽データを記憶したデータ記憶器」は、本件補正発明の「複数の楽曲の楽曲データを記録するデータ記録媒体」に相当する。
　引用発明の「所望の曲目について、キーワードの前後の電子音楽データをデータ記憶器から読み出し、一定時間試聴を可能とするオーディオ再生器」は、本件補正発明の「上記試聴要求入力手段を介して試聴の要求された上記楽曲の楽曲データを、上記テキスト情報でなる検索単語と一致する上記検索キーワードが上記歌詞の一部として実際に歌われる歌唱部分として再生する再生手段」に相当する。
　引用発明の「電子音楽データ検索試聴装置」は、本件補正発明の「楽曲検索装置」に相当する。
　
　したがって、両発明の一致点、相違点は以下の通りである。
　
〈一致点〉
「テキスト情報でなる検索単語を、上記歌詞文字列のキーワードと比較する比較手段と、
　上記比較手段による上記比較結果に応じて、上記テキスト情報でなる検索単語と一致する上記検索キーワードを含む上記歌詞文字列に対応する楽曲を通知する通知手段と、
　複数の楽曲の楽曲データを記録するデータ記録媒体と、
上記通知手段により通知された上記楽曲の試聴を要求するための試聴要求入力手段と、
　上記試聴要求入力手段を介して試聴の要求された上記楽曲の楽曲データを、上記テキスト情報でなる検索単語と一致する上記検索キーワードが上記歌詞の一部として実際に歌われる歌唱部分として再生する再生手段と
　を具える楽曲検索装置」
　
〈相違点〉
（α）本件補正発明が「楽曲に対する歌詞のテキスト情報でなる歌詞文字列の中の単語のうち所定の当該単語が上記楽曲の検索に用いる検索キーワードとして選定されると共に、当該選定された上記検索キーワードを識別可能なキーワード識別子が上記歌詞文字列の中に挿入されて生成された楽曲歌詞情報の当該歌詞文字列の中で上記キーワード識別子に従って上記検索キーワードを識別する識別手段」及び「上記歌詞文字列の中から、上記識別手段により識別された上記検索キーワードを抽出する抽出手段」を有しているのに対して、引用発明は、このような構成を有していない点。
　
（β）本件補正発明が「ユーザの発音した、楽曲を検索するための検索単語の音声を集音する集音手段」及び「上記集音手段で集音した上記検索単語の音声をテキスト情報でなる検索単語に変換する変換手段」を有しているのに対して、引用発明はこのような構成を有していない点。
　
（γ）本件補正発明が「上記試聴要求入力手段を介して試聴の要求された上記楽曲の楽曲データに対する再生停止を指示するための再生停止指示手段」を有していて、「再生手段」は、「上記テキスト情報でなる検索単語と一致する上記検索キーワードを含むフレーズの先頭位置から当該検索キーワードが上記歌詞の一部として実際に歌われる歌唱部分として再生し始め、当該歌唱部分を、上記再生停止指示手段を介して任意に再生停止が指示されるまで再生する」構成であるのに対して、引用発明の「オーディオ再生器」は、「キーワードの前後の電子音楽データをデータ記憶器から読み出し、一定時間試聴を可能とする」としている点。
　
　これらの相違点について検討する。
　
（α）の点について
　引用例２の記載事項からも明らかなように、キーワード検索を行う場合、キーワードを識別するキーワード識別子に相当する「タグ」を埋め込むこと、タグによってキーワードを抽出することは、出願当時公知の技術事項であり、この技術事項を引用発明に適用し、相違点（α）の構成とすることは当業者が容易になし得ることである。
（β）の点について
　引用例３の記載事項にあるように、楽曲検索において、音声入力を行い、音声入力されたデータをテキスト変換して検索単語を得ることは出願当時公知の技術事項であり、この技術事項を引用発明に適用し、相違点（β）の構成とすることは当業者が容易になし得ることである。
（γ）の点について
　本件補正発明において、「再生停止指示手段」は、「上記テキスト情報でなる検索単語と一致する上記検索キーワードを含むフレーズの先頭位置から当該検索キーワードが上記歌詞の一部として実際に歌われる歌唱部分として再生し始め、当該歌唱部分を、上記再生停止指示手段を介して任意に再生停止が指示されるまで再生する」という取り決めに従って設けられたものに過ぎず、該「上記テキスト情報でなる検索単語と一致する上記検索キーワードを含むフレーズの先頭位置から当該検索キーワードが上記歌詞の一部として実際に歌われる歌唱部分として再生し始め、当該歌唱部分を、上記再生停止指示手段を介して任意に再生停止が指示されるまで再生する」という条件を設定するために、格別な工夫がされているとは認められないし、条件を設定したことによる作用効果も自明であることから、相違点（γ）は、技術的に格別なものといえない。
　
　そして、上記相違点を総合的に判断しても、本件補正発明が奏する効果は引用例１〜３から当業者が十分予測できたものであって格別なものとはいえない。
　
（２−２）むすび
　
　以上のとおり、本件補正発明は、引用例１〜３に記載された発明に基づいて当業者が容易に発明をすることができたものであり、特許法第２９条第２項の規定により、特許出願の際独立して特許を受けることができないものである。
　したがって、本件補正は、平成１８年法律第５５号改正附則第３条第１項によりなお従前の例によるとされる同法による改正前の特許法第１７条の２第５項で準用する同法第１２６条第５項の規定に違反するものであるから、同法１５９条第１項で読み替えて準用する同法第５３条第１項の規定により却下されるべきものである。
　
３．本願発明について
　
　平成２０年２月５日付けの手続補正は、上記のとおり却下されたので、本願請求項１に係る発明は、平成１９年９月１１日付け手続補正書の特許請求の範囲請求項１に記載された発明（以下、「本願発明」という。）であって、前記２．（１）の（１−１）に記載したとおりのものである。
　
（１）引用例
　原査定の拒絶理由に引用される引用例、およびその記載事項は、前記２．（２）（イ）に記載したとおりのものである。
　
（２）対比、判断
　本願発明は、本件補正発明から「複数の楽曲の楽曲データを記録するデータ記録媒体と、
　上記通知手段により通知された上記楽曲の試聴を要求するための試聴要求入力手段と、　上記試聴要求入力手段を介して試聴の要求された上記楽曲の楽曲データに対する再生停止を指示するための再生停止指示手段と、
　上記データ記録媒体から、上記試聴要求入力手段を介して試聴の要求された上記楽曲の楽曲データを、上記テキスト情報でなる検索単語と一致する上記検索キーワードを含むフレーズの先頭位置から当該検索キーワードが上記歌詞の一部として実際に歌われる歌唱部分として再生し始め、当該歌唱部分を、上記再生停止指示手段を介して任意に再生停止が指示されるまで再生する再生手段と」とした限定事項を省いたものである。
　そうすると、本願発明の構成要件を全て含み、更に他の要件を付加したものに相当する本件補正発明が前記「２．（２）（ロ）」に記載したとおり、引用例１〜３に記載された発明に基づいて、当業者が容易に発明をすることができたものであるから、本願発明も、同様の理由により、引用例１〜３に記載された発明に基づいて当業者が容易に発明をすることができたものである。
　
（３）むすび
　
　以上のとおり、本願発明は、特許法第２９条第２項の規定により特許を受けることができない。
　したがって、本願は、その他の請求項について論及するまでもなく、拒絶すべきものである。
　
　よって、結論のとおり審決する。